(57)【要約】【課題】  利用者が放送を視聴している間に着信があった場合、視聴を優先させたい利用者及び着信を知ることを優先させたい利用者の双方にとって利便性のよい携帯電話機を提供する。【解決手段】  本携帯電話機は、操作手段、電話手段、情報受信手段、放送受信手段、放送内容出力手段及び制御手段を備えている。放送受信手段は電波放送を受信し、放送内容出力手段は受信した放送内容を出力するものである。制御手段は、放送受信期間中に情報受信手段で情報を受信したとき、該期間中は該情報受信手段で情報を受信したときでも該放送内容の出力を継続させる継続モードと、該期間中に該情報受信手段で情報を受信したときには該放送内容の出力を停止させる停止モードのうち、上記操作手段に対する利用者の操作によって選択されたモードに従って、上記放送内容出力手段で放送内容を出力するか否かの制御を行うものである。【選択図】  図１
2005303364.tif 000002
【特許請求の範囲】
【請求項１】
利用者により操作される操作手段と、電話回線を通じて他の電話機と電話するための電話手段と、該電話回線を通じて情報を受信する情報受信手段と、電波放送を受信する放送受信手段と、該放送受信手段で受信した放送内容を出力する放送内容出力手段とを備えた携帯電話機において、
上記放送受信手段で電波放送を受信している期間中に上記情報受信手段で情報を受信したとき、該期間中は該情報受信手段で情報を受信したときでも該放送内容の出力を継続させる継続モードと、該期間中に該情報受信手段で情報を受信したときには該放送内容の出力を停止させる停止モードのうち、上記操作手段に対する利用者の操作によって選択されたモードに従って、上記放送内容出力手段で放送内容を出力するか否かの制御を行う制御手段を有することを特徴とする携帯電話機。
【請求項２】
利用者により操作される操作手段と、電話回線を通じて他の電話機と電話するための電話手段と、電波放送を受信する放送受信手段と、該放送受信手段で受信した放送内容を出力する放送内容出力手段とを備えた携帯電話機において、
上記放送受信手段で電波放送を受信している期間中に上記電話手段で着信を受けたとき、該期間中は該電話手段で着信を受けたときでも該放送内容の出力を継続させる継続モードと、該期間中に該電話手段で着信を受けたときには該放送内容の出力を停止させる停止モードのうち、上記操作手段に対する利用者の操作によって選択されたモードに従って、上記放送内容出力手段で放送内容を出力するか否かの制御を行う制御手段を有することを特徴とする携帯電話機。
【請求項３】
請求項１又は２の携帯電話機において、
上記情報受信手段で情報を受信したとき又は上記電話手段で他の電話機からの着信を受けたときには、その旨を利用者に報知する報知手段と、
上記選択されたモードが上記停止モードである場合には、上記期間中に該情報受信手段で情報を受信して又は該電話手段で他の電話機からの着信を受けて上記制御手段により上記放送内容の出力が停止された後に、該期間外に該情報受信手段で情報を受信して又は該電話手段で他の電話機からの着信を受けてその旨の報知を行うときの報知方法と同じ報知方法により報知し、上記選択されたモードが上記継続モードである場合には、該期間中に該情報受信手段で情報を受信したとき又は該電話手段で他の電話機からの着信を受けたときに該報知方法とは別の報知方法で報知するように、上記報知手段を制御する報知制御手段とを有することを特徴とする携帯電話機。
【請求項４】
請求項１、２又は３の携帯電話機において、
上記制御手段は、上記選択されたモードが上記停止モードである場合、上記放送受信手段による電波放送の受信を継続したまま、上記放送内容出力手段による放送内容の出力を停止させる制御を行うことを特徴とする携帯電話機。
【請求項５】
請求項４の携帯電話機において、
上記放送内容出力手段は、上記放送受信手段で受信した電波放送に含まれる音を出力するものであって、出力する音量を調節するための音量調節手段を有しており、
上記制御手段は、該放送内容出力手段による放送内容の出力を停止させる場合、該放送内容出力手段から出力される音が出ないように該音量調節手段に対して制御を行うことを特徴とする携帯電話機。
【請求項６】
請求項４又は５の携帯電話機において、
携帯電話機の電池残量を検知する電池残量検知手段を有し、
上記制御手段は、上記放送内容出力手段による放送内容の出力を停止させている間に該電池残量検知手段により検知された電池残量が一定量以下になったとき、上記放送受信手段による電波放送の受信を停止させる制御を行うことを特徴とする携帯電話機。
【発明の詳細な説明】
【技術分野】
【０００１】
本発明は、テレビ放送やラジオ放送等のように電波により放送される電波放送を受信し、その放送内容を出力することが可能な携帯電話機に関するものである。
【背景技術】
【０００２】
この種の携帯電話機としては、例えば特許文献１に記載されたものが知られている。この特許文献１に記載された携帯電話機は、電話機能の他に、電波放送を選局受信するチューナ機能を備えている。この携帯電話機は、そのチューナ機能が動作中に、電話機能が呼び出し信号を受信したことを検出すると、電波放送に含まれる音声部分を全く出力しない状態で着信音を出力部から出力させ、着信を報知する。この携帯電話機によれば、ラジオ放送を聴いているときやテレビ放送を視聴しているときでも、確実に電話機への着信を利用者に知らせることができる。以下、説明の便宜上、「放送の視聴」には、視覚と聴覚で放送内容を認識する場合のほか、聴覚のみ又は視覚のみで放送内容を認識する場合も含まれるものとする。
【０００３】
【特許文献１】特開平８−１２５７２３号公報
【発明の開示】
【発明が解決しようとする課題】
【０００４】
ところが、上記携帯電話機においては、利用者が放送を視聴中に電話の着信を受けた場合、利用者の意志にかかわらず、視聴中の電波放送の音声部分が出力されなくなってしまう。そのため、電話の着信を知ることよりも視聴を優先させたい利用者にとっては、着信のたびに視聴が妨げられ、利便性が悪いという問題があった。一方、仮に視聴中に電話の着信を受けた場合に一律に着信音を出力しない構成とすると、視聴よりも電話の着信を知ることの方を優先させたい利用者にとって利便性が悪くなるという問題が発生する。
なお、これらの問題は、電話の着信に限らず、メールやメッセージなどの情報の着信についても同様に生じ得るものである。
【０００５】
本発明は、上記問題に鑑みなされたものであり、その目的とするところは、利用者が放送を視聴している間に着信があった場合、視聴を優先させたい利用者及び着信を知ることを優先させたい利用者の双方にとって利便性のよい携帯電話機を提供することである。
【課題を解決するための手段】
【０００６】
上記目的を達成するために、請求項１の発明は、利用者により操作される操作手段と、電話回線を通じて他の電話機と電話するための電話手段と、該電話回線を通じて情報を受信する情報受信手段と、電波放送を受信する放送受信手段と、該放送受信手段で受信した放送内容を出力する放送内容出力手段とを備えた携帯電話機において、上記放送受信手段で電波放送を受信している期間中に上記情報受信手段で情報を受信したとき、該期間中は該情報受信手段で情報を受信したときでも該放送内容の出力を継続させる継続モードと、該期間中に該情報受信手段で情報を受信したときには該放送内容の出力を停止させる停止モードのうち、上記操作手段に対する利用者の操作によって選択されたモードに従って、上記放送内容出力手段で放送内容を出力するか否かの制御を行う制御手段を有することを特徴とするものである。
この携帯電話機においては、継続モードと停止モードのいずれかのモードを、利用者が上記操作手段を操作することで選択することができる。よって、放送受信手段で電波放送を受信している放送受信期間中に情報受信手段で情報が受信された場合、視聴を優先させたい利用者は、継続モードを選択しておくことで、情報の受信（着信）があっても視聴を継続することができる。一方、情報の着信を知ることを優先させたい利用者は、停止モードを選択しておけば、放送受信期間中に情報の着信があった場合には放送内容の出力が停止されるので、情報の着信があったことを知ることができる。
なお、「放送」とは、音又は画像の少なくとも一方の情報を電波で配信するものであり、テレビ放送やラジオ放送が含まれる。
また、情報受信手段で受信する「情報」は、利用者の操作に基づく情報取得要求がなくても受信される情報であり、メールやメッセージなどの文字情報に限らず、音声情報や画像情報なども含まれる。
【０００７】
また、請求項２の発明は、利用者により操作される操作手段と、電話回線を通じて他の電話機と電話するための電話手段と、電波放送を受信する放送受信手段と、該放送受信手段で受信した放送内容を出力する放送内容出力手段とを備えた携帯電話機において、上記放送受信手段で電波放送を受信している期間中に上記電話手段で着信を受けたとき、該期間中は該電話手段で着信を受けたときでも該放送内容の出力を継続させる継続モードと、該期間中に該電話手段で着信を受けたときには該放送内容の出力を停止させる停止モードのうち、上記操作手段に対する利用者の操作によって選択されたモードに従って、上記放送内容出力手段で放送内容を出力するか否かの制御を行う制御手段を有することを特徴とするものである。
この携帯電話機においても、継続モードと停止モードのいずれかのモードを、利用者が上記操作手段を操作することで選択することができる。よって、放送受信期間中に電話の着信を受けた場合、視聴を優先させたい利用者は、継続モードを選択しておくことで、電話の着信があっても視聴を継続することができる。一方、電話の着信を知ることを優先させたい利用者は、停止モードを選択しておけば、放送受信期間中に電話の着信があった場合には放送内容の出力が停止されるので、電話の着信があったことを知ることができる。
【０００８】
また、請求項３の発明は、請求項１又は２の携帯電話機において、上記情報受信手段で情報を受信したとき又は上記電話手段で他の電話機からの着信を受けたときには、その旨を利用者に報知する報知手段と、上記選択されたモードが上記停止モードである場合には、上記期間中に該情報受信手段で情報を受信して又は該電話手段で他の電話機からの着信を受けて上記制御手段により上記放送内容の出力が停止された後に、該期間外に該情報受信手段で情報を受信して又は該電話手段で他の電話機からの着信を受けてその旨の報知を行うときの報知方法と同じ報知方法により報知し、上記選択されたモードが上記継続モードである場合には、該期間中に該情報受信手段で情報を受信したとき又は該電話手段で他の電話機からの着信を受けたときに該報知方法とは別の報知方法で報知するように、上記報知手段を制御する報知制御手段とを有することを特徴とするものである。
この携帯電話機においては、利用者が停止モードを選択した場合、放送受信期間中に情報又は電話の着信を受けたときには、放送内容の出力停止後、放送受信期間外の報知方法と同じ報知方法で、着信の報知を行う。これにより、利用者は、普段受けている報知方法により報知を受け、着信があったことを知ることができる。しかも、その報知時には、放送内容の出力が停止しているので、その放送内容の出力により報知が妨げられることもない。一方、利用者が継続モードを選択した場合においても、放送受信期間中に情報又は電話の着信を受けたときには、着信の報知を行う。これにより、利用者は、利用者が継続モードを選択した場合でも、放送受信期間中に着信の報知を受けることができ、着信を知ることができる。しかも、このときの報知方法は、放送受信期間外及び停止モード時の放送受信期間中における報知方法とは別の報知方法である。よって、放送受信期間外及び停止モード時の放送受信期間中と、継続モード時の放送受信期間中とで、それぞれ適切な報知方法を選択的に用いて報知を行うことが可能となる。したがって、放送受信期間外及び停止モード時の放送受信期間中は視聴を考慮しない自由な報知方法を採用しつつ、継続モード時の放送受信期間中は視聴を妨げない報知方法を採用するということが可能になる。
【０００９】
また、請求項４の発明は、請求項１、２又は３の携帯電話機において、上記制御手段は、上記選択されたモードが上記停止モードである場合、上記放送受信手段による電波放送の受信を継続したまま、上記放送内容出力手段による放送内容の出力を停止させる制御を行うことを特徴とするものである。
この携帯電話機においては、停止モード時の放送受信期間中に着信があった場合、放送受信手段による電波放送の受信は継続したままで、放送内容の出力が停止する。この場合、着信を受けた後に視聴を再開する場合、放送受信手段の受信動作を再開させるための処理動作が不要になる。一般に、放送受信手段による電波放送の受信動作を再開させるための処理動作よりも、放送内容出力手段による放送内容の出力動作を再開させるための処理動作の方が迅速に行うことができる。よって、本携帯電話機においては、停止モード時の放送受信期間中に着信があったときに放送受信手段の受信動作も停止させる場合に比べて、視聴再開時の処理動作を高速化することが可能となる。
【００１０】
また、請求項５の発明は、請求項４の携帯電話機において、上記放送内容出力手段は、上記放送受信手段で受信した電波放送に含まれる音を出力するものであって、出力する音量を調節するための音量調節手段を有しており、上記制御手段は、該放送内容出力手段による放送内容の出力を停止させる場合、該放送内容出力手段から出力される音が出ないように該音量調節手段に対して制御を行うことを特徴とするものである。
この携帯電話機においては、停止モード時の放送受信期間中に着信があった場合、音量調節手段を制御して放送内容出力手段からの音が出力されないようにすることで、放送内容の出力を停止させる。音量の調節は高速な制御が可能であり、放送内容の出力を停止させた後に視聴を再開するときの処理動作を高速に行うことができる。
【００１１】
また、請求項６の発明は、請求項４又は５の携帯電話機において、携帯電話機の電池残量を検知する電池残量検知手段を有し、上記制御手段は、上記放送内容出力手段による放送内容の出力を停止させている間に該電池残量検知手段により検知された電池残量が一定量以下になったとき、上記放送受信手段による電波放送の受信を停止させる制御を行うことを特徴とするものである。
放送内容出力手段による放送内容の出力が停止していても、放送受信手段による電波放送の受信が継続されていれば、電力が消費される。この電力消費により電池残量が少なくなると、携帯電話機としての本来の機能すなわち電話機能が損なわれてしまう。本携帯電話機においては、電波放送の受信を継続したまま放送内容の出力を停止させている間に電池残量が一定量以下になったら、その電波放送の受信を停止させるので、電話機能が損なわれる事態を防止することができる。
【００１２】
なお、上記「携帯電話機」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division ynchronous Code Division Multiple Access）方式の一つであるＴＤ−ＳＣＤＭＡ（ＭＣ：Multi Carrier）方式の携帯電話機、ＰＨＳ（Personal Handyphone Service）などが挙げられる。
【発明の効果】
【００１３】
以上、請求項１乃至６の発明によれば、利用者が放送を視聴している間に情報や電話の着信があった場合に、視聴を優先させるか着信を知ることを優先させるかを、利用者の選択により決定することができるので、視聴を優先たい利用者にとっても、着信を知ることを優先させたい利用者にとっても、利便性がよくなるという優れた効果が奏される。
特に、請求項３の発明によれば、着信を知ることを優先させたい利用者は放送視聴中の着信を確実に知ることができるとともに、視聴を優先させたい利用者は視聴が妨げられない報知方法で放送視聴中の着信を知ることが可能となるという優れた効果が奏される。
また、請求項４乃至６の発明によれば、視聴を停止した後の視聴再開時における処理を高速化することが可能となるという優れた効果が奏される。
特に、請求項６の発明によれば、電話機能が損なわれる事態を防止することができるという優れた効果が奏される。
【発明を実施するための最良の形態】
【００１４】
以下、本発明の実施形態を、図面を参照しながら説明する。
図２は、本実施形態に係る携帯電話機が利用可能な移動体通信システムの全体構成を説明するための説明図である。
この移動体通信システムにおいて、ユーザーであるユーザーが使用する携帯電話機２０は、ネットワークとしての携帯電話通信網１０に接続可能である。この携帯電話通信網１０には、情報送信装置としてのＳＭＳＣ（Short Message Service Center）１１が接続されている。このＳＭＳＣ１１は、携帯電話機２０間のショートメッセージ（情報）を配信するための装置である。ＳＭＳＣ１１は、送信元の携帯電話機２０から送信されたショートメッセージを受信すると、このショートメッセージをその宛先の携帯電話機へ送信する。
【００１５】
図３は、上記携帯電話機２０の外観を示す正面図である。また、図４は、その携帯電話機２０のハードウェア構成を示す概略構成図である。
この携帯電話機２０は、クラムシェル（折り畳み）タイプの携帯電話機である。この携帯電話機２０は、システムバス２００、ＣＰＵ２０１、ＲＡＭ２０２やＲＯＭ２０３等からなる内部制御装置、入力装置２０４、出力装置２０５、携帯電話通信網用通信装置２０６及びチューナー装置２０７を備えている。
ＣＰＵ２０１やＲＡＭ２０２等の構成要素は、システムバス２００を介して、互いに各種データや後述のプログラムの命令等のやり取りを行っている。上記入力装置２０４は、データ入力キー（テンキー、＊キー、＃キー）２１、通話開始キー２２、終話キー２３、スクロールキー２４、多機能キー２５、マイク２６などから構成されている。上記出力装置２０５は、液晶ディスプレイ（ＬＣＤ）２７、スピーカ２８等から構成されている。上記携帯電話通信網用通信装置２０６は、携帯電話通信網１０を介して他の携帯電話機や上記ＳＭＳＣ１１と通信するためのものである。上記チューナー装置２０７は、ラジオ放送局から送信される電波放送を選局して受信するためのものである。
【００１６】
図５は、上記携帯電話機２０の主要部を抽出して示したブロック図である。
この携帯電話機２０は、電話手段としての電話通信部２１１及び情報受信手段としてのデータ通信部２１２、操作手段としての操作部２１３、制御手段及び報知制御手段としての主制御部２１５、報知手段及び放送内容出力手段としての出力部２１６、放送受信手段としてのチューナー部２１７、モード記憶手段としての記憶部２１８等を備えている。
【００１７】
上記電話通信部２１１は、他の携帯電話機や固定電話機と電話通信を行うために、携帯電話通信網１０の基地局と無線通信を行うものであり、上述のハードウェア構成上の携帯電話通信網用通信装置２０６等に対応する。この電話通信部２１１で電話の着信信号を受信すると、電話の着信が出力部２１６によりユーザーに特定の音、表示、振動等で報知される。この電話の着信が報知された場合は、ユーザーは操作部２１３の通話開始キー２２を押すことで通話を行うことができる。
【００１８】
上記データ通信部２１２は、上記電話通信部２１１と同様に、上述のハードウェア構成上の携帯電話通信網用通信装置２０６等に対応する。このデータ通信部２１２は、ＳＭＳＣ１１を介して携帯電話通信網１０を通じて他の携帯電話機とメールのやり取りを行ったり、携帯電話通信網１０からゲートウェイサーバを介してインターネット等の外部通信ネットワークに接続し、インターネット上での電子メールのやり取り等を行ったりするためのものである。また、このデータ通信部２１２は、情報提供サーバ１２から所定のタイミングで携帯電話通信網１０を介して一方向的に送信されてくる情報を受信する情報受信部としても機能する。情報提供サーバ１２から送られてくる情報としては、ニュース情報、気象情報、地震・津波情報、地図情報、店舗情報、商品情報、ユーザーが位置する地域に限定された地域情報などが挙げられる。これらの情報は、前述のように所定のタイミング、例えば予め設定した時間間隔ごとのタイミングや、予め設定した特定の時刻のタイミングで自動的に受信される。このデータ通信部２１２で情報を受信すると、その情報の着信が出力部２１６によりユーザーに特定の音、表示、振動等で報知される。この情報の着信が報知された場合は、ユーザーは任意のタイミングで受信した情報を閲覧することができる。
【００１９】
上記操作部２１３は、ユーザーが操作可能な上述のテンキー２１、通話開始キー２２、終話キー２３等で構成されている。この操作部２１３を操作することにより、ユーザーは、電話着信の際に通話の開始及び終了を行ったり、携帯電話機２０の各種設定や動作モードを選択したりすることができる。
【００２０】
上記主制御部２１５は、上記電話通信部２１１、データ通信部２１２、操作部２１３、出力部２１６、チューナー部２１７及び記憶部２１８を制御するものであり、上述のシステムバス２００、ＣＰＵ２０１やＲＡＭ２０２等で構成されている。この主制御部２１５は、上記電話通信部２１１や上記データ通信部２１２等を制御するための通信制御用プログラムやユーザインターフェースを実行する。また、主制御部２１５は、上記チューナー部２１７を制御するためのラジオプレイヤー用のアプリケーションプログラムを実行することで、ラジオ放送局から送信されるラジオ放送を聴くことを可能にする。また、主制御部２１５は、ユーザーによる操作部２１３の操作内容に従って選択された動作モードを記憶部２１８の所定のメモリ領域に記憶する処理も行う。
【００２１】
上記出力部２１６は、上述のＬＣＤ２７やスピーカ２８及びスピーカ２８から出力される音量を調節するための音量調節手段である音量調節部等からなる出力装置２０５等で構成されている。この出力部２１６は、上記データ通信部２１２で受信したショートメッセージの内容を上記主制御部２１５の制御の下、ＬＣＤ２７に表示する。また、この出力部２１６のＬＣＤ２７は、上記電話通信部２１１で電話を着信した旨をユーザーに報知するときに用いられる。また、上記データ通信部２１２でＳＭＳＣからショートメッセージを着信した旨や情報提供サーバ１２から情報を着信した旨をユーザーに報知するときにも用いられる。具体的には、これらの着信を受けると、記憶部２１８に記憶された報知設定情報に従い、主制御部２１５により、出力部２１６のＬＣＤ２７に着信報知画像を表示したり、スピーカ２８から着信音を出力させたりする。この出力部２１６は、チューナー部２１７から送られてくる音信号用の音量調節部（ラジオ放送用音量調節部）と、それ以外の音信号用の音量調節部（一般音量調節部）とをそれぞれ個別に備えており、各音量調節部は主制御部２１５によって独立に制御される。
【００２２】
上記チューナー部２１７は、上述のハードウェア構成上のチューナー装置２０７や放送受信用アンテナ等に対応する。このチューナー部２１７は、ラジオ放送局から送信されるラジオ放送電波のうち、主制御部２１５から指示された周波数の電波を選択的に受波し、その電波放送を受信する一般的なラジオチューナーとしての機能を有する。このチューナー部２１７で受信したラジオ放送の内容は、出力部２１６へ直接伝送され、出力部２１６のラジオ放送用音量調節部を介してスピーカーから出力される。
【００２３】
上記記憶部２１８は、上述のＲＡＭ２０２の一部やＲＯＭ２０３などによって構成されている。この記憶部２１８のＲＡＭ２０２には、携帯電話機による着信の報知方法を決定する報知設定情報や、ラジオ放送内容（ラジオ放送音）を出力している期間中に着信を受けたときの動作モード設定情報などが記憶される。また、携帯電話機２０を所定の手順に従って動作させる各種プログラム等も、上記記憶部２１８のＲＡＭ２０２やＲＯＭ２０３に記憶されている。これらのプログラムは、必要に応じてＣＰＵ２０１やＲＡＭ２０２中の作業エリアに呼び出されて実行される。
【００２４】
〔動作例１〕
次に、出力部２１６のスピーカ２８からチューナー部２１７で受信したラジオ放送の内容を音で出力している期間中に、上記ＳＭＳＣ１１からショートメッセージの着信を受けたときの動作例（本動作例を「動作例１」という。）について説明する。
図１は、本動作例１における処理動作の流れを示すフローチャートである。
ユーザーは、携帯電話機２０でラジオ放送を聞く場合、まず、操作部２１３に対して所定の操作を行い、ラジオプレイヤー用のアプリケーションプログラムを起動させる。これにより、ＬＣＤ２７には、ラジオ放送局を選局したり、音量を調節したりするためのプレイヤー画面が表示される。このプレイヤー画面を見ながら、ユーザーが操作部２１３に対して所定の操作を行うことで、ラジオ放送局を選局したり、音量を調節したりすることができる。ユーザーが操作部２１３に対して所定の操作を行ってラジオ放送局を選局すると、その操作内容が操作部２１３から主制御部２１５に送られる。主制御部２１５は、その操作内容に応じた周波数の電波を受波するための選局命令をチューナー部２１７へ送信する。これを受信したチューナー部２１７は、選局命令に係る周波数の電波を受波し、その電波を復調して得た音信号を出力部２１６を出力する。これにより、出力部２１６のスピーカ２８からは、選局したラジオ放送局から送信された放送電波の放送内容が音で出力される。この出力音量を調節する場合、ユーザーが操作部２１３に対して所定の操作を行うと、その操作内容が操作部２１３から主制御部２１５に送られる。主制御部２１５は、その操作内容に応じた音量に調節するための音量調節命令を出力部２１６へ送信する。これが出力部２１６に受信されると、その出力部２１６のラジオ放送用音量調節部がその音量調節命令に係る音量となるように制御される。
【００２５】
このようにして、チューナー部２１７でラジオ放送を受信している期間中に、上記ＳＭＳＣ１１からショートメッセージの着信があったとする（Ｓ１）。具体的には、上記ＳＭＳＣ１１から携帯電話通信網１０を介してデータ通信部２１２で受信したショートメッセージデータが主制御部２１５に受信され、記憶部２１８のＲＡＭ２０２に記憶されることで、ショートメッセージの着信が発生する。このように着信があったら、主制御部２１５は、記憶部２１８のＲＡＭ２０２の動作モード設定領域に記憶されている動作モードを読み出し、この動作モードが継続モードか停止モードかを判断する（Ｓ２）。
【００２６】
ここで、継続モードとは、ラジオ放送の受信期間中はショートメッセージの着信を受けたときでも、ラジオ放送の内容をスピーカ２８から出力し続ける動作モードである。一方、停止モードとは、上記ラジオ放送の受信期間中にショートメッセージの着信を受けたときにはスピーカ２８からラジオ放送の内容を出力するのを停止する動作モードである。ユーザーは、ラジオプレイヤー用のアプリケーションプログラムを起動する前に、操作部２１３に対して所定の操作を行って、予めいずれかの動作モードに設定しておく。具体的には、操作部２１３に対して所定の操作を行って動作モード設定画面をＬＣＤ２７上に呼び出し、この動作モード設定画面を見ながら操作部２１３に対して所定の操作を行って、継続モードか停止モードかを選択する。このようなユーザー操作が行われると、操作部２１３から主制御部２１５に対して、その操作内容が送られる。主制御部２１５は、その操作内容に応じた動作モードを記憶部２１８のＲＡＭ２０２に設けられた動作モード設定領域に記憶させる。
【００２７】
この動作モード設定領域に記憶された動作モードが継続モードである場合（Ｓ２）、ＬＣＤ２７上のプレイヤー画面外におけるピクト表示領域に、ショートメッセージの着信を受けた旨のピクト表示を行う（Ｓ３）。具体的には、ラジオ放送の受信期間中、すなわち、主制御部２１５がラジオプレイヤー用のアプリケーションプログラムの起動中に、主制御部２１５がショートメッセージデータを受信すると、主制御部２１５は、報知制御手段として機能し、報知手段としての出力部２１６へピクト表示命令を出力する。これにより、出力部２１６は、そのピクト表示命令に従って、ＬＣＤ２７のピクト表示領域に、ショートメッセージの着信を受けた旨のピクト表示画像を表示させる表示処理を行う。これにより、ユーザーは、スピーカ２８から出力されるラジオ放送音が妨げられることなく、ショートメッセージを着信した旨を知ることができる。
【００２８】
一方、ＲＡＭ２０２の動作モード設定領域に記憶された動作モードが停止モードである場合（Ｓ２）、ラジオ放送の受信期間中に主制御部２１５がショートメッセージデータを受信すると、主制御部２１５は、まず、タイマーをスタートさせる（Ｓ４）。そして、主制御部２１５は、出力部２１６へ消音命令を出力し、出力部２１６にその消音命令に従ってラジオ放送用音量調節部の音量がＯＦＦになるように制御させる（Ｓ５）。その後、主制御部２１５は、記憶部２１８のＲＡＭ２０２に記憶された報知設定情報に従い、出力部２１６のＬＣＤ２７に着信報知画像を表示したり、スピーカ２８から着信音を出力させたりする（Ｓ６）。ここで、本動作例においては、この報知設定情報は、ラジオ放送の受信期間外における通常時の着信報知に用いられる報知設定情報と同じものを用いている。よって、ユーザーは、ラジオ放送の受信期間中においても、通常時と同じ報知方法によって着信の報知を受けることができる。なお、停止モードにおいては、着信報知処理時にはラジオ放送音の音量がＯＦＦになっているので、通常時の報知方法が、着信音を鳴らすなど、ラジオ放送音の妨げとなるような報知方法であっても、これと同じ報知方法によりラジオ放送の受信期間中に報知を行って問題となるということはない。
【００２９】
このようにして着信報知処理を行ったら、主制御部２１５は、タイマーが予め設定された時間に達したか否かを判断する（Ｓ７）。このタイマー設定時間は、ユーザーによって任意に選択できるようにしてもよいし、予め決められたものであってもよい。そして、タイマーが予め設定された時間に達したら、主制御部２１５は、出力部２１６へ音量復帰命令を出力し、出力部２１６にラジオ放送用音量調節部の音量がＯＦＦになる前の音量に復帰するように制御させる（Ｓ８）。これにより、ユーザーは、ラジオ放送を聞くのを再開することができる。
【００３０】
以上、本動作例１によれば、ユーザーが停止モードを選択した場合、ラジオ放送の受信期間中にショートメッセージの着信を受けたときには、ラジオ放送音の出力停止後、ラジオ放送の受信期間外における通常時の報知方法と同じ報知方法で着信の報知が行われる。したがって、ユーザーは、普段受けている報知方法により着信の報知を受けることができ、着信があったことを確実に知ることができる。しかも、その報知時には、ラジオ放送音の出力が停止しているので、その放送音によって報知が妨げられることもない。また、本動作例１においては、ユーザーが継続モードを選択した場合にも、ラジオ放送の受信期間中にショートメッセージの着信を受けたときには、着信の報知を行う。よって、ユーザーは、いずれの動作モードを選択しても、ラジオ放送の受信期間中に着信の報知を受けることができる。しかも、継続モード時の報知方法はピクト表示によるので、着信の報知がラジオ放送音を妨げることもない。
また、本動作例１においては、停止モード時におけるラジオ放送の受信期間中に着信があった場合、チューナー部２１７ではラジオ放送の受信を継続したまま、そのラジオ放送音がＯＦＦにすることで、放送内容の出力を停止させる。すなわち、ラジオプレイヤー用のアプリケーションプログラムを、一時停止させた状態と同様である。この場合、ラジオプレイヤー用のアプリケーションプログラムを終了してチューナー部２１７によるラジオ放送の受信を停止させる場合に比べて、ラジオ放送の再開を迅速に行うことができる。
【００３１】
なお、本動作例１においては、ラジオ放送の受信期間中にショートメッセージの着信を受けた場合について説明したが、情報提供サーバ１２から一方向的に送信される情報の着信を受けた場合でも同様である。また、携帯電話通信網１０からゲートウェイサーバを介して接続されるインターネット等の外部通信ネットワーク上のメールサーバから配信される電子メールの着信を受けた場合も同様である。また、Ｗｅｂプッシュによるショートメッセージの着信を受けた場合も、同様である。通常のショートメッセージの内容は、主制御部２１５が実行するメッセージ（メール）閲覧ソフトによって出力部２１６のＬＣＤ２７上に表示されるが、このＷｅｂプッシュによるショートメッセージの内容は、主制御部２１５が実行するブラウザによって出力部２１６のＬＣＤ２７上に表示される。このＷｅｂプッシュは、いわゆるプッシュ型情報配信サービスによるもので、ＳＭＳＣ１１から一方向的に送信されてくるショートメッセージである。
【００３２】
〔動作例２〕
次に、出力部２１６のスピーカ２８からチューナー部２１７で受信したラジオ放送の内容を音で出力している期間中に、他の携帯電話機等からの電話の着信を受けたときの動作例（本動作例を「動作例２」という。）について説明する。
図６は、本動作例２における処理動作の流れを示すフローチャートである。
本動作例２において、チューナー部２１７でラジオ放送を受信している期間中に、他の携帯電話機等からの電話の着信があったとする（Ｓ１１）。具体的には、携帯電話通信網１０を介して電話通信部２１１で電話の着信信号が受信し、これが主制御部２１５に受信される。すると、主制御部２１５は、上記動作例１と同様に、記憶部２１８のＲＡＭ２０２の動作モード設定領域に記憶されている動作モードを読み出し、この動作モードが継続モードか停止モードかを判断する（Ｓ１２）。
【００３３】
上記動作モード設定領域に記憶された動作モードが継続モードである場合（Ｓ１２）、ＬＣＤ２７上のプレイヤー画面外におけるピクト表示領域に、上記動作例１と同様に、電話の着信を受けた旨のピクト表示を行う（Ｓ１３）。これにより、ユーザーは、スピーカ２８から出力されるラジオ放送音が妨げられることなく、電話を着信した旨を知ることができる。
一方、上記動作モード設定領域に記憶された動作モードが停止モードである場合（Ｓ１２）、ラジオ放送の受信期間中に主制御部２１５が電話の着信信号を受信すると、主制御部２１５は、上記動作例１と同様に、まず、タイマーをスタートさせ（Ｓ１４）、出力部２１６へ消音命令を出力する。これにより、出力部２１６は、その消音命令に従ってラジオ放送用音量調節部の音量がＯＦＦになるように制御する（Ｓ１５）。その後、主制御部２１５は、上記動作例１と同様に、記憶部２１８のＲＡＭ２０２に記憶された報知設定情報に従い、出力部２１６のＬＣＤ２７に着信報知画像を表示したり、スピーカ２８から着信音を出力させたりする（Ｓ１６）。なお、本動作例２においても、この報知設定情報は、ラジオ放送の受信期間外における通常時の着信報知に用いられる報知設定情報と同じものを用いている。
【００３４】
このようにして着信報知処理を行ったら、主制御部２１５は、上記動作例１と同様に、タイマーが予め設定された時間に達したか否かを判断する（Ｓ１７）。そして、タイマーが予め設定された時間に達したら、主制御部２１５は、出力部２１６へ音量復帰命令を出力し、出力部２１６にラジオ放送用音量調節部の音量がＯＦＦになる前の音量に復帰するように制御させる（Ｓ１８）。これにより、ユーザーは、ラジオ放送を聞くのを再開することができる。
【００３５】
以上、本動作例２によれば、チューナー部２１７でラジオ放送を受信している期間中に、他の携帯電話機等からの電話の着信があった場合、上記動作例１と同様の効果を得ることができる。
なお、本動作例２において、継続モードの場合、ラジオ放送の受信期間中に他の携帯電話機等からの電話の着信があったら、その電話を交換機によって自動的に留守番センターに転送するようにしてもよい。また、携帯電話機を通話状態にして通話相手に所定のメッセージを流し、記憶部２１８に通話相手のメッセージを録音するようにしてもよい。
【００３６】
〔動作例３〕
次に、ラジオ放送の受信期間中における主制御部２１５の他の動作例（本動作例を「動作例３」という。）について説明する。なお、本動作例３は、上記動作例１と同様にショートメッセージの着信を受ける場合を例に挙げるが、上記動作例２と同様に電話の着信を受ける場合であっても同様である。
図７は、本動作例３における携帯電話機２０の主要部を抽出して示したブロック図である。本動作例３の携帯電話機２０の基本構成は、図５に示した携帯電話機のものと同様であるが、本動作例３においては、電池３００の残量を検知する電池残量検知手段としての電池残量検知部２１９が付加されている。この電池残量検知部２１９は、主制御部２１５の電池残量確認要求に対して、電池３００の残量検知結果を主制御部２１５へ出力する。
【００３７】
図８は、本動作例３における処理動作の流れを示すフローチャートである。図中Ｓ２１〜Ｓ２６までの処理は、上記動作例１の場合と同様であるので説明を省略する。ＲＡＭ２０２の動作モード設定領域に記憶された動作モードが停止モードである場合において、ラジオ放送の受信期間中に主制御部２１５がショートメッセージデータを受信して着信報知処理を行った後、主制御部２１５は、電池残量検知部２１９に対して電池残量確認要求を送信する。すると、これを受けた電池残量検知部２１９から電池残量の検知結果が出力され、これを受信することで、主制御部２１５は、現在の電池残量を把握することができる。そして、主制御部２１５は、電池残量の検知結果が予め定められた規定値以下であるか否かを判断する（Ｓ２７）。この判断は、タイマーが設定時間に達するまで定期的に行われる。ここで、電池残量の検知結果が規定値以下であると判断された場合、主制御部２１５は、実行中のラジオプレイヤー用のアプリケーションプログラムを強制的に終了させ、チューナー部２１７によるラジオ放送の受信動作を停止させる（Ｓ２８）。これにより、音量をＯＦＦにしている間に電池残量が規定値を大きく下回ってしまう事態を防ぐことができる。
【００３８】
この点について詳しく説明すると、音量をＯＦＦにしている間にも、ラジオプレイヤー用のアプリケーションプログラムを実行している主制御部２１５及びチューナー部２１７では、電力が消費されることになる。この電力消費により電池残量が少なくなると、携帯電話機２０の本来の機能である電話機能が損なわれてしまう。本動作例３のように、電池残量が一定量以下になったらラジオプレイヤー用のアプリケーションプログラムを終了してチューナー部２１７の使用を停止すれば、その後の電力消費量が抑えられる。したがって、音量をＯＦＦにしている間に携帯電話機２０の本来の機能である電話機能の使用を確保することができる。なお、本動作例３においては、音量をＯＦＦにしている間だけでなく、ラジオ放送の受信期間中に電池残量が規定値以下になったら、実行中のラジオプレイヤー用のアプリケーションプログラムを強制的に終了させ、チューナー部２１７によるラジオ放送の受信動作を停止させるようにしている。
本動作例３においては、タイマーの設定時間が短ければ、音量がＯＦＦになっている期間が短いため、その期間内に電池残量が一定量以下になるということは稀であるが、タイマーの設定時間が長い場合や、ユーザーが所定の操作を行うまで音量復帰処理（Ｓ３０）が行われないような構成とした場合には、音量がＯＦＦになっている期間が長期間となり得るため、その期間内に電池残量が一定量以下になる場合が想定される。したがって、本動作例３は、このような場合に効果的である。
【００３９】
以上、本実施形態によれば、継続モードと停止モードのいずれかのモードをユーザーが携帯電話機２０の操作部２１３を操作することで選択することができる。そして、チューナー部２１７でラジオ放送を受信している期間中にショートメッセージや電話の着信を受けた場合、ラジオ放送を聞くのを優先させたいユーザーは、継続モードを選択しておくことで、着信があってもラジオ放送を聞き続けることができる。一方、着信を知ることを優先させたいユーザーは、停止モードを選択しておけば、ラジオ放送の受信期間中に着信があった場合にはラジオ放送音の音量がＯＦＦになった上で、着信音が鳴ったり着信画像が表示されたりバイブレータが駆動したりして着信の報知が行われる。よって、この場合には、ユーザーは、確実に着信があったことを知ることができる。
なお、本実施形態では、ラジオ放送を受信する場合について説明したが、テレビ放送などの他の放送を受信する場合についても同様である。
【図面の簡単な説明】
【００４０】
【図１】実施形態の携帯電話機における動作例１の処理動作の流れを示すフローチャート。
【図２】同携帯電話機が利用可能な移動体通信システムの全体構成を説明するための説明図。
【図３】同携帯電話機の外観を示す正面図。
【図４】同携帯電話機のハードウェア構成を示す概略構成図。
【図５】同携帯電話機の主要部を抽出して示したブロック図。
【図６】動作例２における処理動作の流れを示すフローチャート。
【図７】動作例３における携帯電話機２０の主要部を抽出して示したブロック図。
【図８】動作例３における処理動作の流れを示すフローチャート。
【符号の説明】
【００４１】
１０  携帯電話通信網
１１  ＳＭＳＣ
１２  情報提供サーバ
２０  携帯電話機
２７  ＬＣＤ
２８  スピーカ
２１１  電話通信部
２１２  データ通信部
２１３  操作部
２１５  主制御部
２１６  出力部
２１７  チューナー部
２１８  記憶部
２１９  電池残量検知部
３００  電池
【図１】
2005303364.tif 000003
【図２】
2005303364.tif 000004
【図３】
2005303364.tif 000005
【図４】
2005303364.tif 000006
【図５】
2005303364.tif 000007
【図６】
2005303364.tif 000008
【図７】
2005303364.tif 000009
【図８】
2005303364.tif 000010